(57)【要約】【課題】  リアルで多様なアルペジオ演奏を簡易に行うことのできるアルペジオ演奏装置の提供。【解決手段】  模範アルペジオパターンに関して、ユーザによって実演奏されたアルペジオ演奏のフレーズ波形を記録する。このフレーズ波形を模範アルペジオパターンを参照しながら分析することで、該フレーズ波形を各音符に対応する部分波形に分割し、該分割した部分波形に関する音高及び発音タイミングなどの特徴情報を抽出する。抽出した特徴情報をフレーズ波形に対応づけて記憶する。再生すべきアルペジオ演奏に関する特徴情報とそれに対応する模範アルペジオパターンとの比較に従い、該特徴情報に対応するフレーズ波形を部分波形毎に個別に修正しながら再生する。このようにして、実演奏されたアルペジオ演奏を記録したフレーズ波形を用いることで、リアルで多様なアルペジオ演奏を簡易に行うことができる。【選択図】        図８
2006276435.tif 000002
【特許請求の範囲】
【請求項１】
所望の模範アルペジオパターンをユーザに選択させる手段と、
前記選択された模範アルペジオパターンに関して、ユーザによって実演奏されたアルペジオ演奏のフレーズ波形を記録する手段と、
前記記録されたフレーズ波形を前記模範アルペジオパターンを参照して分析することで、該フレーズ波形を各音符に対応する部分波形に分割し、該分割した部分波形に関する音高及び発音タイミングなどの特徴情報を抽出する波形分析手段と、
抽出された前記特徴情報を前記フレーズ波形に対応づけて記憶する手段と、
前記記録されたフレーズ波形とそれに対応する前記特徴情報に基づきアルペジオ演奏音を再生する再生手段と
を具えるアルペジオ演奏装置。
【請求項２】
前記再生手段は、再生すべきアルペジオ演奏に関する前記特徴情報とそれに対応する前記模範アルペジオパターンとを比較し、この比較結果に従って、該特徴情報に対応する前記フレーズ波形を前記部分波形毎に個別に修正しながら再生することでアルペジオ演奏音を再生するものである請求項１に記載のアルペジオ演奏装置。
【請求項３】
前記再生手段は、前記フレーズ波形を前記部分波形毎にピッチシフト又は時間長制御することを特徴とする請求項２に記載のアルペジオ演奏装置。
【請求項４】
ユーザによって選択された前記所望の模範アルペジオパターンに基づく模範演奏音を発生する手段を更に具え、前記フレーズ波形を記録する際に、ユーザが該模範演奏音を聴取しつつ前記選択された模範アルペジオパターンのアルペジオ演奏を行うことができるようにしたことを特徴とする請求項１乃至３のいずれかに記載のアルペジオ演奏装置。
【請求項５】
前記フレーズ波形を記録するために行ったアルペジオ演奏のコード情報を前記特徴情報と共に記憶し、
前記再生手段は、前記記録されたフレーズ波形とそれに対応する前記特徴情報及び前記コード情報と、再生時において指定される任意のコードに基づきアルペジオ演奏音を再生するものである請求項１乃至４のいずれかに記載のアルペジオ演奏装置。
【請求項６】
複数の模範アルペジオパターンに関して、前記フレーズ波形及び特徴情報が蓄積記憶される請求項１乃至５のいずれかに記載のアルペジオ演奏装置。
【請求項７】
コンピュータに、
所望の模範アルペジオパターンをユーザに選択させる手順と、
前記選択された模範アルペジオパターンに関して、ユーザによって実演奏されたアルペジオ演奏のフレーズ波形を記録する手順と、
前記記録されたフレーズ波形を前記模範アルペジオパターンを参照して分析することで、該フレーズ波形を各音符に対応する部分波形に分割し、該分割した部分波形に関する音高及び発音タイミングなどの特徴情報を抽出する手順と、
抽出された前記特徴情報を前記フレーズ波形に対応づけて記憶する手順と、
前記記録されたフレーズ波形とそれに対応する前記特徴情報に基づきアルペジオ演奏音を再生する手順と
を実行させるためのプログラム。
【発明の詳細な説明】
【技術分野】
【０００１】
この発明は、自動的にアルペジオ演奏を行うアルペジオ演奏装置及びプログラムに関する。特に、実演奏されたアルペジオ演奏を記録したフレーズ波形を用いて、よりリアルで多様なアルペジオ演奏を簡易に行うことのできるようにしたアルペジオ演奏装置及びプログラムに関する。
【背景技術】
【０００２】
従来から、演奏操作子の操作に応じて発生された複数の音高情報又は指定されたコードに基づく複数の音高情報を、例えばアップ、ダウン、アップダウン等の所定のアルペジオ（分散和音）パターンに当てはめ、発音タイミングを制御することにより、自動的にアルペジオ演奏を行うアルペジオ演奏装置（アルペジエータとも呼ぶ）が知られている。一般的に、演奏者自らが演奏操作子を実際に操作するマニュアル（手弾き）演奏によりアルペジオ演奏を行うことは非常に難しい。例えば、アコースティックのピアノやギターなどを用いてアルペジオ演奏を行う場合には、複数の演奏操作子（鍵や弦など）を所定の順序で素早く操作することが要求されるが、特に初心者にとってそうした演奏操作を正確に行うことは困難である。ところが、上記アルペジエータを使用すると、複数の演奏操作子をほぼ同時に操作するだけで、該操作に応じて発生される音高情報が所定のアルペジオパターンに当てはめられて楽音再生されることから、初心者であっても簡単な演奏操作を行うだけでアルペジオ演奏を行うことができる。
また、最近では、演奏者が自然楽器（生楽器）を用いて実際にマニュアル演奏（実演奏）したフレーズを録音し、該録音したフレーズのテンポや音高（ピッチ）等を変更して演奏することのできる、所謂フレーズサンプラなどと呼ばれている波形データ再生装置が知られている。こうしたサンプラの一例を挙げると、下記に示す特許文献１に記載の装置がある。この特許文献１に記載されている装置においては、所定の演奏データを再生しながら、マニュアル演奏された自然楽器からの楽器音をフレーズ単位で同期録音する。そして、前記録音した一連のフレーズ波形を前記演奏データに基づいて各音毎の部分波形に分割して記録しておき、該記録した部分波形を個別に指定して発音タイミングやピッチ（音高）等を変更しながら楽音再生することのできるようにしている。
【特許文献１】特開2002−229567号公報
【０００３】
しかし、上述したような従来のアルペジエータでは、演奏操作子の操作に応じて発生された複数の音高情報又は指定されたコードに基づく複数の音高情報に従って、例えばＰＣＭ音源やＦＭ音源などの音源を所定のアルペジオパターンで駆動してアルペジオ演奏での楽音を発生していることから、単に１音１音をアルペジオパターンに従って並べただけのアルペジオ演奏であって音と音との間に繋がりがなく、自然楽器を用いて演奏されたアルペジオ演奏に比べるとリアルさに欠ける、という問題点があった。
他方、上述したような従来のサンプラでは、自然楽器で演奏されたアルペジオ等のフレーズ演奏を録音しておき、そのフレーズ波形データを再生することでアルペジオ演奏を表現することは可能であり、そうして生成される楽音は上記アルペジエータにより生成される楽音に比べリアルである。また、サンプラではテンポや音高を変更して演奏させることは可能である。しかしながら、こうしたサンプラにおいては、予め各アルペジオパターンに対応したフレーズ演奏を録音しておかないと、パターン指定に応じてアルペジオパターンの異なるアルペジオ演奏を行うことができずに都合が悪い、またコード指定に応じてコードの異なるアルペジオ演奏を行うことはできず、そうした場合には各音毎に音高の変更指示を行わなければならないので面倒である、などの問題点があった。
【発明の開示】
【発明が解決しようとする課題】
【０００４】
本発明は上述の点に鑑みてなされたもので、予め実演奏されたアルペジオ演奏を記録したフレーズ波形データを用いて、よりリアルで多様なアルペジオ演奏を簡易に行うことのできるようにしたアルペジオ演奏装置及びプログラムを提供しようとするものである。
【課題を解決するための手段】
【０００５】
本発明に係るアルペジオ演奏装置は、所望の模範アルペジオパターンをユーザに選択させる手段と、前記選択された模範アルペジオパターンに関して、ユーザによって実演奏されたアルペジオ演奏のフレーズ波形を記録する手段と、前記記録されたフレーズ波形を前記模範アルペジオパターンを参照して分析することで、該フレーズ波形を各音符に対応する部分波形に分割し、該分割した部分波形に関する音高及び発音タイミングなどの特徴情報を抽出する波形分析手段と、抽出された前記特徴情報を前記フレーズ波形に対応づけて記憶する手段と、前記記録されたフレーズ波形とそれに対応する前記特徴情報に基づきアルペジオ演奏音を再生する再生手段とを具える。
本発明の好ましい実施例として、前記再生手段は、再生すべきアルペジオ演奏に関する前記特徴情報とそれに対応する前記模範アルペジオパターンとを比較し、この比較結果に従って、該特徴情報に対応する前記フレーズ波形を前記部分波形毎に個別に修正しながら再生することでアルペジオ演奏音を再生する。
【０００６】
本発明によると、フレーズ波形とそれに対応する特徴情報とを記憶し、フレーズ波形を部分波形毎に個別に修正しながら再生することでアルペジオ演奏音を再生する。フレーズ波形は、ユーザにより選択された模範アルペジオパターンに関して、ユーザによって実演奏されたアルペジオ演奏を記録したものである。前記記録されたフレーズ波形は、前記模範アルペジオパターンを参照しながら分析される。ここでは、該フレーズ波形を各音符に対応する部分波形に分割し、該分割した部分波形に関する音高及び発音タイミングなどの特徴情報を抽出する。抽出した特徴情報は、フレーズ波形に対応づけて記憶される。楽音再生時には、再生すべきアルペジオ演奏に関する前記特徴情報とそれに対応する前記模範アルペジオパターンとの比較に従い、該特徴情報に対応する前記フレーズ波形を前記部分波形毎に個別に修正しながら再生する。こうすると、実演奏されたアルペジオ演奏を記録したフレーズ波形をそのまま用いるのでリアルなアルペジオ演奏音を再生でき、かつコード指定に応じた多様なアルペジオ演奏を簡易に行うことができる。
【０００７】
本発明は装置の発明として構成し実施することができるのみならず、方法の発明として構成し実施することができる。また、本発明は、コンピュータまたはＤＳＰ等のプロセッサのプログラムの形態で実施することができるし、そのようなプログラムを記憶した記憶媒体の形態で実施することもできる。
【発明の効果】
【０００８】
この発明によれば、模範アルペジオパターンに関して、ユーザによって実演奏されたアルペジオ演奏を記録したフレーズ波形を記録しておき、該記録したフレーズ波形データを分析した結果である部分波形に対応する特徴情報と前記記録されたフレーズ波形とに基づきアルペジオ演奏音を再生するようにしたことから、よりリアルで多様なアルペジオ演奏を簡易に行うことができるようになる、という効果を得る。
【発明を実施するための最良の形態】
【０００９】
以下、この発明の実施の形態を添付図面に従って詳細に説明する。
図１は、この発明に係るアルペジオ演奏装置の全体構成の一実施例を示したハード構成ブロック図である。本実施例に示すアルペジオ演奏装置（アルペジエータ）は、マイクロプロセッサユニット（ＣＰＵ）１、リードオンリメモリ（ＲＯＭ）２、ランダムアクセスメモリ（ＲＡＭ）３からなるマイクロコンピュータによって制御される。すなわち、ＣＰＵ１は、各種プログラムを実行することにより本アルペジエータにおける録音や再生動作などを制御する中央演算処理装置（Central Processing Unit）である。タイマ１Ａは動作時の経過時間を計時したり、タイマ割込み処理（インタラプト処理）における割込み時間などを発生するタイマであり、時間管理等に使用される。ＲＯＭ２は、ＣＰＵ１により実行される各種プログラムや各種データを格納するものである。ＲＡＭ３は、ＣＰＵ１が所定のプログラムを実行する際に発生する各種データを一時的に記憶するワーキングメモリとして、あるいは現在実行中のプログラムやそれに関連するデータを記憶するメモリ等として使用される。ＲＡＭ３の所定のアドレス領域がそれぞれの機能に割り当てられ、レジスタやフラグ、テーブル、メモリなどとして利用される。
【００１０】
表示器４は例えば液晶表示パネル（ＬＣＤ）やＣＲＴ等のディスプレイであり、演奏者自身による自然楽器を用いてのアルペジオ演奏（実演奏）の録音時や、後述するフレーズ波形データ再生時などに各種情報を表示する、あるいはＣＰＵ１の制御状態などを表示する。操作子５は前記実演奏の録音時や波形データ再生時などに各種指定や指示等を行うための操作子であり、例えばパターン演奏データ（後述する図３参照）に基づく自動演奏（つまり模範とするアルペジオ演奏）の開始・停止を指示する演奏スイッチ、実演奏の録音開始・停止を指示する録音スイッチ、所定のアルペジオパターンを指定するパターン指定スイッチ、コードを指定するコード指定スイッチ、アルペジオ演奏用に割り当てられたマップデータ（後述する図７参照）を選択するマップ選択スイッチなどがある。勿論、これら以外にも、音高、音色、効果等を選択・設定・制御するために用いる数値データ入力用のテンキーや文字データ入力用のキーボード、あるいは表示器４に表示される所定のポインティングデバイスを操作するために用いるマウスなどの各種操作子を含んでいてよい。また、楽音の音高を選択するための複数の鍵を備えた例えば鍵盤等のような演奏操作子を含んでいてよい。演奏者は前記表示器４に表示された各種情報を参照しながらこれらの操作子５を操作することで、例えば実演奏されたアルペジオ演奏を記録したフレーズ波形データ（後述する図５参照）の確認や加工を行ったり、既に作成済みのマップデータの編集や使用対象とするマップデータの選択などを容易に行うことができる。
【００１１】
音源６は複数のチャンネルで楽音信号の同時発生が可能であり、データ及びアドレスバス１Ｄを経由して与えられた、録音時に自動演奏されるパターン演奏データ（図３参照）に従う各種演奏情報を入力し、これらの演奏情報に基づいて楽音信号を生成する。こうした音源６は、例えばＦＭ、ＰＣＭ、物理モデル、フォルマント合成等の各種楽音合成方式のいずれを採用してもよく、また専用のハードウェアで構成してもよいし、ＣＰＵ１によるソフトウェア処理で構成してもよい。音源６から発生された楽音信号は、ミキサ７及びＤＡＣ８を介してサウンドシステム９から発音される。ミキサ７は、音源６で生成された楽音信号や後述する再生回路１４で再生された楽音信号をミキシングしてＤＡＣ８に送るミキサであり、ＤＡＣ８はミキサ７から供給されたディジタルの楽音信号をアナログの楽音信号に変換してサウンドシステム９に送るディジタル−アナログ信号変換器である。サウンドシステム９は、ＤＡＣ８から供給された楽音信号を増幅して放音するためのアンプやスピーカなどを含む。
【００１２】
マイクロフォン１０は、演奏者による実際のマニュアル演奏操作（実演奏）に応じて発せられる自然楽器（例えばギターやピアノなど）からの楽器音を入力するものであり、該入力した楽器音の波形信号はＡＤＣ１１に送られる。ＡＤＣ１１は、供給された楽器音のアナログ波形信号をディジタルのフレーズ波形データに変換するアナログ−ディジタル信号変換器であり、変換されたフレーズ波形データは録音回路１２の制御の基でハードディスク１３に記録される。記録されたフレーズ波形データには、後述するように所定の属性情報が付与されると共に、音源６で実演奏の録音時に再生されたパターン演奏データに基づいてデータ分析されることに応じて、各音（部分波形）毎に対応するパターン分析データ（後述する図５参照）が付与される。上記した実演奏を録音することによるフレーズ波形データの記録、該記録したフレーズ波形データへの属性情報やパターン分析データの付与などの各処理は、ＣＰＵ１が「データ生成処理」のプログラム（後述する図６参照）を実行することにより行われる。また、該生成したフレーズ波形データを使用できるようにするためには、使用対象とするフレーズ波形データをアルペジオパターン毎にマッピングしたアルペジオ演奏用のマップデータに対して、演奏者が前記生成したフレーズ波形データを予め登録しておかなければならない。これらについての詳細な説明は後述する。再生回路１４は、アルペジオパターンやコードの指定に応じてハードディスク１３から再生対象のフレーズ波形データを読み出し、これを用いて演奏波形データを生成する。この再生回路１４により生成された演奏波形データはアルペジオ演奏を実現するものであり、ミキサ７及びＤＡＣ８を介してサウンドシステム９から放音される。
【００１３】
MIDIインタフェース１５は、外部接続された他のMIDI機器等（図示せず）からMIDI形式の演奏データ（MIDIデータ）を当該アルペジエータへ入力したり、あるいは当該アルペジエータからMIDI形式の演奏データ（MIDIデータ）を他のMIDI機器等へ出力するためのインタフェースである。他のMIDI機器はユーザによる操作に応じてMIDIデータを発生する機器であればよく、鍵盤型、弦楽器型、管楽器型、打楽器型、身体装着型等どのようなタイプの操作子を具えた（若しくは、操作形態からなる）機器であってもよい。なお、MIDIインタフェース１５は専用のMIDIインタフェースを用いるものに限らず、RS-232C、USB（ユニバーサル・シリアル・バス）、IEEE1394（アイトリプルイー1394）等の汎用のインタフェースを用いてMIDIインタフェース１５を構成するようにしてもよい。この場合、MIDIイベントデータ以外のデータをも同時に送受信するようにしてもよい。MIDIインタフェース１５として上記したような汎用のインタフェースを用いる場合には、他のMIDI機器はMIDIイベントデータ以外のデータも送受信できるようにしてよい。勿論、演奏データのデータフォーマットはMIDI形式のデータに限らず他の形式であってもよく、その場合はMIDIインタフェース１５と他のMIDI機器はそれにあった構成とする。その他インタフェース１６は、例えばLANやインターネット、電話回線等の有線あるいは無線の通信ネットワークに接続される通信インタフェースであり、通信ネットワークを介してサーバコンピュータ（図示せず）と接続され、当該サーバコンピュータから制御プログラムあるいは各種データなどをアルペジエータ側に取り込む。例えばＲＯＭ２等に制御プログラムや各種データが記憶されていない場合には、サーバコンピュータから制御プログラムや各種データをダウンロードするために用いられる。こうしたその他インタフェース１６は、有線あるいは無線のものいずれかでなく双方を具えていてよい。
【００１４】
次に、本発明に係るアルペジオ演奏装置（アルペジエータ）において、フレーズ波形データを記録する処理、フレーズ波形データへの属性情報やパターン分析データを付与する処理について、図２〜図６を参照しながら説明する。まず、実演奏の録音に伴うフレーズ波形データの記録について、図２を用いて説明する。図２は、本発明に係るアルペジオ演奏装置においてフレーズ波形データを記録する際の態様を示す概念図である。
【００１５】
本発明に係るアルペジエータにおいてフレーズ波形データを記録する際には、図２に示すように、まず自動演奏手段２１に、パターン選択スイッチなどの操作に応じて指定した所望のアルペジオパターンに従ってＲＯＭ２あるいはＲＡＭ３等から構成される模範パターン演奏データ発生部２０から発生された１乃至複数のフレーズからなる模範パターン演奏データ（後述する図３参照）を供給して、模範となるアルペジオ演奏を自動演奏させる。このフレーズには、指定されたアルペジオパターンを実現する特徴情報を有する音符が含まれている。自動演奏手段２１は、図１に示すＣＰＵ１及び音源６により主に構成されている。そして、ＣＰＵ１が図示しない公知の自動演奏プログラムを実行することにより、ＲＯＭ２あるいはＲＡＭ３等から読み出したパターン演奏データ２０に基づいて音源パラメータを生成し、この音源パラメータを音源６に供給することにより、音源６は演奏波形データを生成する。音源６において生成された演奏波形データは、ミキサ７及びＤＡＣ８を介してサウンドシステム９に接続されているヘッドフォン２６から放音される。ヘッドフォン２６は演奏者２２が装着していることから、演奏者２２は模範パターン演奏データに基づく演奏音を聴取することができる。
【００１６】
ここで、上述した模範となるアルペジオ演奏を実現するパターン演奏データについて、図３を用いて簡単に説明する。図３は、パターンデータのデータ構成の一実施例を説明するための概念図である。この図３に示すパターンデータは、所定のアルペジオパターン毎に付与される固有の番号等からなるパターンＩＤと、例えばＳＭＦ（Standard MIDI File）等のMIDI形式とされた１乃至複数フレーズ分の模範となるアルペジオ演奏を表わすシーケンスデータであるパターン演奏データとを含んでなり、このパターンデータはＲＯＭ２やＲＡＭ３等に格納されている。パターン演奏データは、タイミングデータとイベントデータとの組み合わせからなる。イベントデータは、楽音の発音を指示するノートオンイベントや楽音の消音を指示するノートオフイベント等の演奏イベント情報に関するデータである。このイベントデータは、タイミングデータと組み合わされて使用される。本実施例でのタイミングデータとは、イベントデータから次のイベントデータまでの時間間隔を示す時間データ（すなわち、デュレーションデータ）であるがこれに限らず、ある特定の時間からの相対時間、あるいは絶対時間そのものを用いる等どのようなフォーマットでもよい。要するに、パターン演奏データの形式としては、イベントの発生時刻を曲や小節内における絶対時間で表した『イベント＋絶対時間』形式のもの、イベントの発生時刻を１つ前のイベントからの時間で表した『イベント＋相対時間』形式のもの、音符の音高と符長あるいは休符と休符長で演奏データを表した『音高（休符）＋符長』形式のもの、演奏の最小分解能毎にメモリの領域を確保し、演奏イベント情報の発生する時刻に対応するメモリ領域にイベントを記憶した『ベタ方式』形式のものなど、どのような形式のものでもよい。なお、パターン演奏データには上記イベントデータやタイミングデータの他に、各種音源コントロールデータ（例えばボリュームなどを制御するデータ）などを含んでいてもよい。
【００１７】
図２の説明に戻って、演奏者２２は上記した模範パターン演奏データに基づく自動演奏（自動伴奏）の演奏音を聴取しながら、該演奏音に倣ってギターなどの自然楽器を用いて実際にアルペジオ演奏する。この演奏者２２によるアルペジオ演奏はヘッドフォン２６から放音されている演奏音を聴きながら行われるため、該演奏音に倣って行われたアルペジオ演奏は同様のアルペジオパターンをもつ自然な音によるものとなる。こうしたマニュアル演奏によるアルペジオ演奏の波形（これをフレーズ波形と呼ぶ）はマイクロフォン１０を介して波形録音手段２３に供給され、サンプリングされてディジタルのフレーズ波形データとされてフレーズ毎にハードディスク１３等で構成されるフレーズ波形データ記録部２４に記録されるようになる。この場合、自動演奏手段２１と波形録音手段２３とのクロックはクロック同期ライン２５により同期化されていることから、演奏タイミングに同期化されてフレーズ波形データは記録されるようになる。この同期化では、波形録音手段２３のサンプリングクロックと自動演奏手段２１の動作クロックとを共通化すると共に、自動演奏開始と録音開始とのタイミングを一致させる、あるいは両タイミングの差を記憶するようにしている。これにより、フレーズ波形データ記録部２４に記録したフレーズ波形データと自動演奏されるパターン演奏データの全区間にわたる同期が保証されるようになる。したがって、パターン演奏データのテンポが途中で変更されていたとしても、同期化には全く影響を与えない。なお、上記録音時に自動再生される演奏音は、指定された「コード」に応じて音高の修正されたパターン演奏データに基づいて生成されることから、こうした自動再生を「自動伴奏（再生）」と呼ぶ。
【００１８】
波形録音手段２３及びフレーズ波形データ記録部２４は、図１に示すＣＰＵ１、ＡＤＣ１１、録音回路１２、ハードディスク１３により構成されている。そして、ＣＰＵ１の制御の基でマイクロフォン１０から入力された楽器音であるフレーズ波形をＡＤＣ１１においてサンプリングしてディジタルのフレーズ波形データに変換している。このフレーズ波形データは、録音回路１２によりハードディスク１３の所定の記憶領域に書き込まれて記録される。なお、自動演奏の態様としては、当該フレーズの録音したいアルペジオパート（アルペジオ演奏されたパート）だけのパターン演奏データからなるソロパート演奏であるのがよいがこれに限らない。例えば、当該フレーズの録音したいアルペジオパートを含む複数パートのパターン演奏データからなる全パート演奏であってもよいし、当該フレーズの録音したいアルペジオパートを除く１乃至複数パートのパターン演奏データに基づくマイナスワン演奏であってもよい。演奏者２２は、何れかの演奏音であっても、それを聴きながらアルペジオパートの演奏を行い、アルペジオパートのフレーズを録音できる。なお、後述するフレーズの分割のため、マイナスワン演奏の場合であっても、そのマイナスワン演奏に対応するパターン演奏データにはアルペジオパートの演奏データが含まれていなければならない。
【００１９】
次に、自動演奏されるパターン演奏データと、実演奏に伴い記録されるフレーズ波形データとの関係について、その概略を図４に示す。図４は、パターン演奏データとフレーズ波形データとの関係を示す概略図である。ただし、この実施例に示すパターン演奏データは図４上段に示すようにコード「Ｃ（メジャー）」のコード構成音「Ｃ（ド）」「Ｅ（ミ）」「Ｇ（ソ）」の各音からなる所定のアルペジオパターンを実現するものであり、ここでは五線符上の音符で表している。このパターン演奏データに基づき発生される演奏音をヘッドフォン２６から聴取しながら、その演奏音にあわせて演奏者が実際に自然楽器を用いてアルペジオ演奏することに応じて記録されるフレーズ波形データは、図４下段に示すような複数音の波形が時間的に連続する一連の波形である。
【００２０】
本発明によれば、上記のようにして記録されたフレーズ波形データに対して後述する属性情報を付加すると共に、該記録されたフレーズ波形データを分析することにより、その発音タイミングや音高などのアルペジオに関連する各種特徴データを抽出し、これに基づきパターン分析データを生成し、該パターン分析データをフレーズ波形データに付加することにより、これらを１組のフレーズデータとして管理する。本発明に係るアルペジエータでは、このフレーズデータに従いアルペジオ演奏を実行する。そこで、こうしたフレーズデータのデータ構造及びデータ生成手順について、それぞれ説明する。まず、フレーズデータのデータ構造について、図５を用いて説明する。図５は、フレーズデータのデータ構造の一実施例を示す概念図である。
【００２１】
図５に示すように、フレーズデータはフレーズＩＤ、パターンＩＤ、コードルート、コードタイプなどの属性情報と、パターン分析データと、フレーズ波形データとを含んでなる。「フレーズＩＤ」は、フレーズ波形データが記録される度に適宜に付加される固有の番号であり、例えば記録順に適宜に固有のシリアル番号等が割り振られる。「パターンＩＤ」は該フレーズ波形データがどのような模範のアルペジオパターンに従って演奏されて記録されたものであるかを示すものであり、フレーズ波形データの記録時に用いたパターンデータ（図２参照）のパターンＩＤと同様のＩＤが付される。「コードルート」及び「コードタイプ」は、フレーズ波形データの記録時に用いたコードのルート音とコードの種類を示す。属性情報には、さらに、記録時のテンポである「テンポ」を含めてもよい。「パターン分析データ」は記録したフレーズ波形データの分析に基づき付加されるデータであり、後述するようにフレーズ波形データを分析して求められる各音符（各部分波形）毎の音高情報やスタート／エンドポイント（フレーズ波形データベースにおける各部分波形のスタートアドレス及びエンドアドレス）などの、分割した各音符毎の特徴情報である。この「パターン分析データ」は記録されたフレーズ波形データを分析することにより求められる特徴情報であることから、該フレーズ波形データを記録するときに用いたパターン演奏データ（図３参照）とは必ずしも一致するわけではなく、幾分適宜異なるデータとなる。例えば演奏者がアルペジオパターンの一部の音高を間違ってマニュアル演奏したような場合や演奏タイミングがずれたような場合には、パターン分析データはパターン演奏データとは異なる。「フレーズ波形データ」は、記録したフレーズ波形データである。なお、フレーズデータでは実際のフレーズ波形データそのものを記憶することなく、実際にフレーズ波形データが記憶されているデータ記憶領域を指し示すパス情報である管理情報を記憶しておき、これに基づきハードディスク１３など実際にフレーズ波形データを記憶しているデータ記憶領域から該当するフレーズ波形データを読み出すようにしてあってもよい。
【００２２】
次に、上記したフレーズデータを生成する手順（フレーズデータ生成処理）について、その処理手順をまとめて説明する。図６は、フレーズデータ生成処理の一実施例を示すフローチャートである。この処理を実行する前に、予めテンポが指定されているものとする。ステップＳ１では、鍵盤等を使用して、録音したいアルペジオパターン（パターンＩＤ）とコード（ルート音とコード種類）とを指定する。ステップＳ２では、前記指定されたテンポで、前記指定されたアルペジオパターンのパターン演奏データと該指定されたコードに基づいて自動伴奏再生して該指定されたコードでのアルペジオ音を、音源６（例えば、波形メモリ音源）を使用して発生する。すなわち、フレーズ波形データ記録の際に基準（模範）アルペジオ演奏として参照できるように、指定されたコードに従うコード構成音を用いて、指定されたアルペジオパターンのパターン演奏データに含まれる各イベントデータの音高を修正し、修正されたパターン演奏データに従う模範となるアルペジオ演奏の音を自動（伴奏）再生する。こうして、この模範アルペジオ演奏を演奏者が聴取し得るようにする。こうして再生された模範となるアルペジオ演奏にあわせて（模倣して）、演奏者が実際にリアルタイムに楽器でアルペジオ演奏をマニュアル演奏する。ステップＳ３では、マニュアル演奏されたアルペジオ演奏を録音し、これをフレーズ波形データとして記録する。ステップＳ４では前記記録したフレーズ波形データに対して、前記ステップＳ１で指定したパターン、コード、テンポ等をパターンＩＤ、コードルート及びタイプ、及び、テンポとする属性情報（図５参照）を付加すると共に、該記録したフレーズ波形データを分析し、その結果をパターン分析データとして付加して、これをフレーズデータとしてハードディスク１３に保存する。
【００２３】
ここで、上記「パターン分析データ」を付加するために実行するデータ分析（上記ステップＳ４参照）について、説明する。上記した図２に示す自動演奏処理手段２１において自動演奏（自動伴奏）を、波形録音手段２３において該自動演奏にあわせた演奏者２２の実演奏による楽器音のサンプリングをそれぞれ行っているため、記録されたフレーズ波形データには記録したいアルペジオ演奏に対応する波形分割のための演奏データ（対応演奏データ）が必ず存在することになる。この対応演奏データは、そのフレーズ波形データの録音時に自動演奏（自動伴奏）されていたパターン演奏データに含まれるアルペジオパートの演奏データに対し、同録音時に指定されていたコードに応じた音高の修正を加えた演奏データである。そこで、対応演奏データ（およびそのフレーズ波形データ自身の分析結果）に従って、フレーズ波形データを対応演奏データの各音符に対応する部分波形に分割する。次いで、分割された各部分波形に対応する、その音高、音長や強度等のデータ（パターン分析データ）を、対応演奏データの各音符の演奏情報を参照するなどして付与する。この場合、パターン演奏データにフレーズ波形データは同期しているため、対応演奏データの発音タイミング等だけでも部分波形へ分割することができる。また、フレーズ波形データを周波数分析（フォルマント分析、ＦＦＴ分析等）してその分割位置や付与する音高、音長、強度等のデータを補正するようにしてもよい。すなわち、パターン演奏データに従って仮決定された仮の分割位置を基準にして、その近傍で部分波形のフォルマントの開始位置をサーチし、検出された開始位置を分割位置として決定することができる。このようにすると、フレーズ波形データの分析結果だけに基づいて分割するのに比べて、音楽的に正確な位置での分割、及び、正確な音高、音長、強度等のデータの付与が可能になる。
【００２４】
このようにしてフレーズ波形データを分割した例を、図４に示す。この例の場合、先頭から順に、部分波形ａは対応演奏データの八分音符「Ｃ（ド）」に、部分波形ｂは八分音符「Ｅ（ミ）」に、部分波形ｃは八分音符「Ｇ（ソ）」に、部分波形ｄは八分音符「Ｅ（ミ）」に、部分波形ｅは四分音符「Ｇ（ソ）」に、部分波形ｆは四分音符「Ｅ（ミ）」にそれぞれ対応している。このようにして分割した各部分波形の音高情報、スタート／エンドポイント（アドレス）などがパターン分析データとして付加される。なお、上述したように、パターン演奏データとフレーズ波形データとは同期化されているため、各部分波形は対応演奏データの各音符の演奏タイミングに合致していると共に、音符に対応した音の長さの波形となっている。さらに、単音としてマニュアル演奏された自然楽器の楽器音を記録するのではなく、パターン演奏データに基づくフレーズの演奏音を聴きながらマニュアル演奏された自然楽器からのフレーズの楽器音を記録していることから、その音色も自然な音色とされた波形となっていることは言うまでもない。
【００２５】
さらに説明すると、対応演奏データだけによる分割手法においては、自動演奏されるパターン演奏データとフレーズ波形データとが完全に同期がとれた状態とされていることを利用して分割している。このため、対応演奏データに含まれる各音符のデータに従って、各音符に対応する時間範囲（音符に対応する音のスタートタイミング（ノートオン）からリリース開始（ノートオフ）後の音の減衰するまで、又は次の音符が始まるまでの時間範囲）のフレーズ波形データを部分波形として切り出すことができる。しかし、フレーズ波形データは演奏者自身が実演奏したアルペジオ演奏をサンプリングしたものであるため、対応演奏データの音符のスタートタイミングと、フレーズ波形データのその音符に対応する波形のスタートタイミングとは必ずしもあっておらず、ずれている場合もある。そこで、対応演奏データの各音符の開始タイミングを基準に、フレーズ波形データのその前後区間（例えば開始タイミングの前後数秒）の波形を分析し、フレーズ波形データにおける音符の開始タイミングを検出して分割位置を補正するようにすると、部分波形を正確に切り出すことができるようになる。
【００２６】
分割位置を補正する際に用いる波形分析手法としては、フォルマント分析及びＦＦＴ分析を採用することができる。このフォルマント分析では、まず対応演奏データの各音符の開始タイミングを基準に、フレーズ波形データの前後区間の波形データの相関関数からＬＰＣ（Linear Prediction Coding）係数を算出する。次いで、ＬＰＣ係数をフォルマントパラメータに変換してフレーズ波形データにおけるフォルマントを求める。そして、当該音符に対応するフォルマントの立ち上がり位置から（その直前のアタックノイズの立ち上がりを含む）その音符の開始タイミングを検出する。これにより、音楽的に正確な位置で部分波形データを切り出して、各音符に対応する部分波形に分割することができる。また、ＦＦＴ分析では、まず対応演奏データの各音符の開始タイミングを基準に、フレーズ波形データの前後区間について時間窓を移動しながらフレーズ波形データの高速フーリエ変換を行う。次いで、当該音符に対応する基音および複数倍音の軌跡を検出し、検出された基音および複数倍音の軌跡における立ち上がり位置から（その直前のアタックノイズの立ち上がりを含む）その音符の開始タイミングを検出する。この手法によっても、音楽的に正確な位置で部分波形を切り出して、各音符に対応する部分波形に分割することができる。また、検出された基音および複数倍音の軌跡から各部分波形の音高や強度が決定できるので、それに基づいて対応演奏データに含まれる各音符の音高や強度のデータを補正して当該部分波形に付与することができる。なお、ここでは、フォルマント分析とＦＦＴ分析について説明したが、分割位置や音高、強度等のデータを補正するための分析には、その他のピッチ分析やエンベロープ分析等の分析方法を用いてもよい。
【００２７】
以上のようなフレーズ波形データの記録後、使用対象とするフレーズ波形データをアルペジオパターン毎にマッピングしたアルペジオ演奏用のマップデータに対して、演奏者は前記生成したフレーズ波形データを予め登録しておかなければならない。そこで、こうしたマップデータについて、図７を用いて説明する。図７は、マップデータのデータ構造の一実施例を示す概念図である。
【００２８】
マップデータは、マップＩＤ、パターンＩＤ、範囲数情報、範囲数情報に対応する数に区分された各範囲データ毎のフレーズＩＤとから構成されるマッピングのためのデータである。「マップＩＤ」は、作成されたマップデータ毎に適宜に割り振られる固有の番号である。「パターンＩＤ」はアルペジオパターン毎に付与されるパターンＩＤであり、１つのマップに複数のパターンＩＤに係る情報を登録することができる。例えば、本発明に係るアルペジエータ駆動時に、どのアルペジオパターンを適用するかを該「パターンＩＤ」で指定する。「範囲数」情報は当該１つのパターンＩＤに対応して、いくつの範囲で異なるフレーズデータを適用するかを示す情報である。例えば、「３」であれば当該１つのパターンＩＤに対応するアルペジオパターンとして３個の範囲に夫々対応付けて異なるフレーズデータを使用し、あるいは「１０」であれば１０個の範囲に夫々対応付けて異なるフレーズデータを使用することを意味する。ここで使用される複数のフレーズデータは、属性情報として当該１つのパターンＩＤと同じパターンＩＤを有するフレーズデータである。各範囲データ毎の「フレーズＩＤ」は、各範囲データで規定された範囲毎に使用する対象のフレーズデータ（図５参照）を指定する。範囲の決め方としては、例えば「コードのルート音」の音域で分けるやり方がある。すなわち、コードのルート音を所定音域毎に複数の範囲に区分し、各範囲により適用するフレーズ波形データを変える。例えば、「Ｃ〜Ｅ♭」、「Ｅ〜Ｇ」、「Ａ♭〜Ｂ」のように１オクターブを３つの音域に対応する範囲に分け、それぞれに適用するフレーズ波形データを異ならせる。一般的に、例えばコード「Ｃ（メジャー）」で記録したフレーズ波形データを適用して、コード「Ｇ（メジャー）」をアルペジエータで実現しようとする場合、「Ｃ」を「Ｇ」にピッチシフトするなどピッチシフト量が多いと、音色や音質に大きな変化が生じてしまい都合が悪い。こうした不都合を防止するために、ここではルート音の音域（範囲）毎に適用すべきフレーズ波形データを変えるようにしている。なお、範囲の区分の仕方としては上記した「コードのルート音」に限らない。例えば、「コードタイプ」や「コードのベロシティ」（コード構成音に対応する複数の演奏操作子を操作した際の各演奏操作子のベロシティの平均値を取ったもの）、「録音時のテンポ」などを基準にして、あるいはこれらを適宜に組み合わせたものを基準にして、複数の範囲に区分し、各範囲毎に異なるフレーズ波形データを指定できるようにしてよい。ここで、複数のフレーズ波形データをマッピングするマップデータを形成する場合には、その各フレーズデータのフレーズ波形データが受け持つ範囲を、そのフレーズデータの有する「コードルート」、「コードタイプ」、「テンポ」等の属性情報を参照して決定するとよい。このようなコード、ベロシティ、テンポ等の範囲に応じたフレーズ波形データの切り替えによれば、上述したような音色、音質の劣化防止ができるだけでなく、コード、ベロシティ、テンポ等に応じてフレーズを構成する個々の部分波形に音色・表情の変化をつけることができる。
【００２９】
次に、図１に示したアルペジエータの再生回路１４で実行する再生処理の概要について、図８を用いて説明する。図８は、本発明に係るアルペジオ演奏装置（アルペジエータ）で実行する波形データ再生処理の概要を説明するためのブロック図である。この図８において、図中の矢印はデータの流れを表す。
【００３０】
まず、演奏者はマップ選択スイッチの操作に応じて、予め使用するマップデータを特定しておく（図示せず）。次に、演奏者はパターン選択スイッチ等の操作子５を操作してアルペジオ演奏させたい所望のアルペジオパターンを選択すると共に、鍵盤あるいは各コードに対応したコード指定スイッチ等の操作子５を操作することにより、コードを入力する。すると、上記鍵盤等の操作子５の操作に応じて、操作子５からノートオン、ノートオフ、その他のコントローラ信号などの演奏情報がコード検出部３１に対して出力される。この鍵盤からの演奏情報は、それぞれノートオン・ノートオフ・コントロールチェンジなどのMIDI情報としてコード検出部３１に入力される。コード検出部３１では、前記演奏情報の組み合わせに基づきコードルート音、コードタイプ（さらにはコードルート音の音域、コードベロシティなど）を検出し、これをフレーズデータ選択部３４及び模範アルペジオパターン再生部３５に送る。一方、上記以外の他の操作子５の操作に応じて、操作子５からどのスイッチが操作されたかを表す操作情報が操作検出部３２に対して出力される。操作検出部３２では操作された操作子５の種類に応じて、例えばパターン選択スイッチの操作に応じて「パターン指定」情報をフレーズデータ選択部３４及び模範アルペジオパターン再生部３５に、テンポ設定スイッチの操作に応じて「テンポ指示」情報をテンポクロック部３７にそれぞれ送る。テンポクロック部３７は、「テンポ指示」情報の示すテンポのテンポクロックを生成する。フレーズデータ選択部３４は、前記コード検出部３１からの「コード指定」情報及び前記操作検出部３２からの「パターン指定」情報および「テンポ指示」情報に基づき、ハードディスク１３内のアルペジオフレーズＤＢ（データベース）３３から適用すべきフレーズ波形データを取得する。すなわち、アルペジオフレーズＤＢ３３にはマップデータとフレーズデータがそれぞれ複数記憶されており、予め指定済みのマップデータ（図７参照）のうちの「パターン指定」情報に対応する「パターンＩＤ」のデータセットから、「コード指示」情報に含まれるコードルート音とコードタイプ、及び、「テンポ指示」情報の示すテンポを範囲に含む範囲データのフレーズＩＤを確定する。そして、該確定されたフレーズＩＤに基づき対応するフレーズデータ（図５参照）、つまりフレーズ波形データ及び対応するパターン分析データを決定する。模範アルペジオパターン再生部３５は、前記コード検出部３１からの「コード指定」情報及び前記操作検出部３２からの「パターン指定」情報とに基づき、ハードディスク１３内の模範パターンデータＤＢ（データベース）３６から対応する「パターンＩＤ」を有するパターン演奏データ（図３参照）を取得して、規範となるアルペジオ演奏と同等のアルペジオパターンを生成する。すなわち、パターンデータＤＢ３６にはパターンデータが記憶されており、「パターン指定」情報に対応する「パターンＩＤ」のパターン演奏データを取得し、「コード指定」情報の示すルート音とコードタイプとに基づいて、そのパターン演奏データに含まれる各イベントデータの音高を修正して、修正されたパターン演奏データを規範アルペジオパターンとし��フレーズ再生部３８に出力する。
【００３１】
フレーズ再生部３８は、規範アルペジオパターン再生部３５から供給される該規範アルペジオパターンに従って、フレーズデータ選択部３３により選択されたフレーズデータを用いて楽音合成を行うことにより演奏波形データを生成し、これをサウンドシステム９から出力することで、アルペジオ演奏の楽音を出力する。この際に、フレーズデータ選択部３３により選択されたフレーズ波形データに従って楽音合成を単に行うのではなく、同フレーズ選択部３３により選択されたパターン分析データ、該規範アルペジオパターンのパターン演奏データ、及び、テンポクロック部３７からのテンポクロックに基づいて、前記フレーズ波形データを部分波形（当該フレーズを構成する各音毎の波形）毎に修正しながら楽音合成して演奏波形データを生成する。具体的には、前記フレーズ波形データの各部分波形を該規範アルペジオパターンのパターン演奏データの各音符のイベントと対応付けるとともに、その各部分波形を、該フレーズ分析データの示すその部分波形の音高が当該対応する音符の音高となるようにピッチシフトによるピッチ補正を施し、かつ、その部分波形の再生タイミングおよび音長が、該テンポクロックでの演奏における当該対応する音符の発音タイミングおよび音長となるよう再生開始・終了タイミングの修正などを行う。すなわち、選択されたフレーズ波形データに基づく音の変化状態はパターン分析データにあるから、これと規範アルペジオパターンにおける各音について差分をとり、フレーズ波形データの各音（各部分波形）に対して前記差分の分だけ音高およびタイミングの補正を行う。なお、フレーズ分析データには各部分波形の強度も記録されているので、さらに各音についてのベロシティに基づく強度の補正を行うこともできる。
【００３２】
例えば、録音時の規範となるアルペジオ演奏がコード「Ｃ（メジャー）」であった場合には、記録されるフレーズ波形データもコード「Ｃ（メジャー）」のコード構成音である「Ｃ」「Ｅ」「Ｇ」の各音を用いたアルペジオパターンとなり、パターン分析データとしては各部分波形の音高として「Ｃ」「Ｅ」「Ｇ」がその構成音の演奏順に記録される。このコード「Ｃ（メジャー）」のコード構成音で形成されたフレーズ波形データを用い、且つコード指定としてコード「Ｃｍ（マイナー）」が指定された場合には、コード「Ｃｍ（マイナ−）」のコード構成音は「Ｃ」「Ｅ♭」「Ｇ」であることから、前記記録されたフレーズ波形データをそのまま用いると所望のコードのアルペジオ演奏が出力されない。そこで、パターン分析データと模範アルペジオパターンにおける各音について差分をとることによって補正する対象とピッチシフト量とを求める。この例では、フレーズ波形データ中の「Ｅ」の音についてのみピッチシフトして「Ｅ♭」とする。また、例えば上記コード「Ｃ（メジャー）」の構成音で形成されたフレーズ波形データを用い、且つコード指定としてコード「Ｅ（マイナ）」が指定された場合には、従来知られたサンプラでは全ての音が一律に同じ量だけピッチシフト（ここでは２全音）されていたことから、「Ｃ」から２全音上の「Ｅ」へ、「Ｅ」から２全音上の「Ａ♭」へ、「Ｇ」から２全音上の「Ｂ」へとそれぞれピッチシフトされる。ところが、コード「Ｅ（マイナ）」のコード構成音は「Ｅ」「Ｇ」「Ｂ」であり、上記のように一律にピッチシフトすると、第２音である「Ｇ」が「Ａ♭」となりメジャーのコードになってしまう。これに比べて、本発明に係るアルペジエータにおいては従来のサンプラと同様に、フレーズ波形データを用いることにはかわりはないが、フレーズ波形データの各音（各部分波形）に対して個別に求めた差分の分だけピッチをシフトするようにして補正することから、「Ｃ」から２全音上の「Ｅ」へ、「Ｅ」から１全音１半音上の「Ｇ」へ、「Ｇ」から２全音上の「Ｂ」へとそれぞれピッチシフトされて、指定されたコードに応じた正確なアルペジオ演奏を行うことができるようになる。
【００３３】
さらに、再生開始・終了タイミングについては、テンポクロックにあわせて模範としたパターンデータにあわせるようにして、公知の時間軸拡張・圧縮技術であるタイムストレッチ技術を用いて、各部分波形の再生開始タイミングと再生長さを調整する。この場合、フレーズ波形全体をタイムストレッチ技術を用いて時間軸拡張・圧縮してよいことは勿論のこと、特定の音符（部分波形）についてのみ適宜にタイムストレッチ技術を用いて時間軸拡張・圧縮するようにしてもよい。上記タイムストレッチ技術は公知のどのような技術を用いてもよいことから、ここでの説明を省略する。以上のようにして、本発明に係るアルペジエータでは選択されたフレーズ波形データの各音（各部分波形）について、入力されたコードのルート音とタイプとに応じて個別にピッチシフトしながら再生することができるようにしている。これにより、演奏者は少ないフレーズ波形データを用意するだけで、コード指定に応じてそのコードが変化する、所望のアルペジオパターンによるよりリアルで多様なアルペジオ演奏を、簡易に行うことができるようになる。
【００３４】
なお、フレーズ波形データの各部分波形の変わり目などでピッチが大きく変わるような場合などにおいては、予め用意しておいたフレーズ波形データとは異なる別の遷移状態の波形データを適宜に挿入して再生するようにすると、音と音との間の繋がりがよくなり自然な感じの楽音が出力されてよい。
なお、コード指定は自動演奏データから行うようにしてもよい。すなわち、自動演奏装置にも当該アルペジエータを適用することができ、自動演奏データからのコード指定に基づき該当するコードを用いてのアルペジオ演奏を簡易に行うことができ便利である。
【図面の簡単な説明】
【００３５】
【図１】この発明に係るアルペジオ演奏装置の全体構成の一実施例を示したハード構成ブロック図である。
【図２】本発明に係るアルペジオ演奏装置においてフレーズ波形データを記録する際の態様を示す概念図である。
【図３】パターンデータのデータ構成の一実施例を説明するための概念図である。
【図４】パターン演奏データとフレーズ波形データとの関係を示す概略図である。
【図５】フレーズデータのデータ構造の一実施例を示す概念図である。
【図６】フレーズデータ生成処理の一実施例を示すフローチャートである。
【図７】マップデータのデータ構造の一実施例を示す概念図である。
【図８】本発明に係るアルペジオ演奏装置で実行する再生処理の概要を説明するためのブロック図である。
【符号の説明】
【００３６】
１…ＣＰＵ、１Ａ…タイマ、２…ＲＯＭ、３…ＲＡＭ、４…表示器、５…操作子、６…音源、７…ミキサ、８…ＤＡＣ、９…サウンドシステム、１０…マイクロフォン、１１…ＡＤＣ、１２…録音回路、１３…ハードディスク、１４…再生回路、１５…MIDIインタフェース、１６…その他インタフェース、１Ｄ…通信バス（データ及びアドレスバス）、２０…パターン演奏データ、２１…自動演奏手段、２２…演奏者、２３…波形録音手段、２４…フレーズ波形データ、２５…クロック同期ライン、２６…ヘッドフォン、３１…コード検出部、３２…操作検出部、３３…アルペジオフレーズデータベース、３４…フレーズデータ選択部、３５…模範アルペジオパターン再生、３６…パターンデータデータベース、３７…テンポクロック、３８…フレーズ再生部
【図１】
2006276435.tif 000003
【図２】
2006276435.tif 000004
【図３】
2006276435.tif 000005
【図４】
2006276435.tif 000006
【図５】
2006276435.tif 000007
【図６】
2006276435.tif 000008
【図７】
2006276435.tif 000009
【図８】
2006276435.tif 000010